(57)【要約】【課題】  複数の筐体をヒンジ部を介して接続してなる携帯電話機において、各筐体に設けられる表示部や操作部を小型化することなく、該携帯電話機全体の小型化を図る。【解決手段】  ヒンジユニット３に対して並行する２つの回転軸を設け、一方の回転軸を介して第１の筐体１を回動可能に接続し、他方の回転軸を介して第２の筐体２を回動可能に接続すると共に、このヒンジユニット３に対して副操作部５３を設ける。筐体上に副操作部５３の設置スペースを不要とすることができるため、各筐体１、２に設ける表示部４や主操作部６等を小型化することなく、各筐体１、２の全長を大幅に短縮化することができ、これを通じて当該携帯電話機全体を大幅に小型化することができる。【選択図】  図２
2006312989.tif 000002
【特許請求の範囲】
【請求項１】
複数の筐体と、
上記複数の筐体のうち、一方の筐体の電気回路に接続され、及び／又は、上記複数の筐体のうち、他方の筐体の電気回路に接続される所定の装置と、並行する少なくとも２つの回転軸である第１及び第２の回転軸とを備え、上記一方の筐体を上記第１の回転軸の軸回りに回動可能に保持すると共に、上記他方の筐体を上記第２の回転軸の軸回りに回動可能に保持することで、該一方の筐体及び該他方の筐体を相互に接続するヒンジユニットと
を有する携帯端末装置。
【請求項２】
請求項１に記載の携帯端末装置であって、
上記ヒンジユニットの面部であり、上記第１の筐体及び上記第２の筐体を閉状態とした際に、該第１の筐体及び上記第２の筐体で被覆され、上記第１の筐体及び上記第２の筐体を開状態とした際に、第１の筐体の主面部及び第２の筐体の主面部と共に露出する正面部には、操作部が設けられていること
を特徴とする携帯端末装置。
【請求項３】
請求項２に記載の携帯端末装置であって、
上記ヒンジユニットの、上記操作部が設けられた正面部の背面側となる背面部には、少なくとも電子カメラ装置が設けられていること
を特徴とする携帯端末装置。
【請求項４】
複数の筐体のうち、一方の筐体の電気回路に接続され、及び／又は、該複数の筐体のうち、他方の筐体の電気回路に接続される所定の装置が設けられたヒンジユニットに、並行する少なくとも２つの回転軸である第１及び第２の回転軸を設け、
上記一方の筐体を上記ヒンジユニットの上記第１の回転軸の軸回りに回動自在に接続すると共に、上記他方の筐体を上記ヒンジユニットの上記第２の回転軸の軸回りに回動自在に接続することで、該一方の筐体及び該他方の筐体を上記ヒンジユニットを介して相互に接続すること
を特徴とする筐体の接続方法。
【発明の詳細な説明】
【技術分野】
【０００１】
本発明は、第１の筐体と第２の筐体をヒンジ部を介して接続した、例えば携帯電話機，ＰＨＳ電話機（PHS：Personal Handyphone System）、及びＰＤＡ装置（PDA：Personal Digital Assistant），ノート型のパーソナルコンピュータ装置等に設けて好適な携帯端末装置及び筐体の接続方法に関し、特に複数の筐体を複数のヒンジ部を介して接続すると共に、このヒンジ部上に操作部や表示部を設けることで、筐体上に操作部等を設けるために必要とする設置スペースの小スペース化を図り、機器全体の小型化を可能とした携帯端末装置及び筐体の接続方法に関する。
【背景技術】
【０００２】
従来、いわゆる折り畳み式の携帯電話機が知られている。この折り畳み式の携帯電話機は表示部が設けられた第１の筐体の一端部と、操作部が設けられた第２の筐体の一端部をヒンジ部を介して相互に接続することで形成されている。この折り畳み式の携帯電話機は第１の筐体に設けられた表示部と、第２の筐体に設けられた操作部とを相対向させるように、ヒンジ部を介して該第１の筐体及び第２の筐体を折り畳むことで閉状態時となる。また、このように各筐体が折り畳まれた状態で各筐体を開操作すると、該各筐体の開成角度が略１８０度程度で固定され開状態となる。
【０００３】
また、特開２００４−２９３６３３号の公開特許公報（特許文献１）には、このような折り畳み式の携帯電話機を、より発展させたかたちの折り畳み型携帯端末が開示されている。この折り畳み型携帯端末は、上側ユニットと下側ユニットとを接続するヒンジ部が、下側ユニットの操作面に対して垂直となる第１の回転軸と、この第１の回転軸に対して垂直となる第２の回転軸との計２つの回転軸を有している。
【０００４】
このため、上側ユニット及び下側ユニットを上記第２の回転軸に沿って回転操作することで、該上側ユニット及び下側ユニットを上記略１８０度程度開成させる通常の開閉操作を行うことができるうえ、このように上側ユニット及び下側ユニットを１８０度開成させた状態で、該下側ユニットに対して垂直方向となる第１の回転軸に沿って上側ユニットを回転操作可能となっている。従って、折り畳み操作のみ可能な従来の携帯電話機よりも、上側ユニット及び下側ユニットの開成パターンが多く、ユーザは、この多くの開成パターンの中から所望の開成パターンを自由に選択可能となっている。
【０００５】
【特許文献１】特開２００４−２９３６３３号公報（第５頁：図１〜図３）
【発明の開示】
【発明が解決しようとする課題】
【０００６】
しかし、従来の折り畳み式の携帯電話機は、各筐体の一端部同士をヒンジ部を介して相互に接続する構成であるため、当該携帯電話機の閉状態時の全長は、一つの筐体の全長＋ヒンジ部の幅（厚み）の長さとなる。このため、さらなる小型化を図るためには、各筐体に設ける表示部や操作部を小型化したうえで該各筐体を小型化し、これを通じて当該携帯電話機全体を小型化する必要があった。
【０００７】
また、特許文献１に開示されている折り畳み型携帯端末は、ヒンジ部の第１の回転軸を下側ユニットの操作面に対して垂直とするために、該ヒンジ部を下側ユニットの操作面上に設ける必要がある。このため、下側ユニットの操作面としては、操作部を設けるスペースと、ヒンジ部を設けるスペースとが必要となり、下側ユニットが大型化する問題があった。下側ユニットが大型化すると、これに合わせて上側ユニットも下側ユニットと同様の大きさとする必要があるため、結果的に携帯端末が大型化してしまう。
【０００８】
本発明は、上述の課題に鑑みてなされたものであり、複数の筐体をヒンジ部を介して接続してなる機器において、各筐体に設けられる表示部や操作部を小型化することなく、該機器全体の小型化を図ることができるような携帯端末装置及び筐体の接続方法の提供を目的とする。
【課題を解決するための手段】
【０００９】
本発明に係る携帯端末装置は、上述の課題を解決するための手段として、
複数の筐体と、
上記複数の筐体のうち、一方の筐体の電気回路に接続され、及び／又は、上記複数の筐体のうち、他方の筐体の電気回路に接続される所定の装置と、並行する少なくとも２つの回転軸である第１及び第２の回転軸とを備え、上記一方の筐体を上記第１の回転軸の軸回りに回動可能に保持すると共に、上記他方の筐体を上記第２の回転軸の軸回りに回動可能に保持することで、該一方の筐体及び該他方の筐体を相互に接続するヒンジユニットと
を有する。
【００１０】
また、本発明に係る筐体の接続方法は、上述の課題を解決するために、
複数の筐体のうち、一方の筐体の電気回路に接続され、及び／又は、該複数の筐体のうち、他方の筐体の電気回路に接続される所定の装置が設けられたヒンジユニットに、並行する少なくとも２つの回転軸である第１及び第２の回転軸を設け、
上記一方の筐体を上記ヒンジユニットの上記第１の回転軸の軸回りに回動自在に接続すると共に、上記他方の筐体を上記ヒンジユニットの上記第２の回転軸の軸回りに回動自在に接続することで、該一方の筐体及び該他方の筐体を上記ヒンジユニットを介して相互に接続する。
【００１１】
このような本発明は、ヒンジユニットに対して並行する２つの回転軸である第１の回転軸及び第２の回転軸を設け、第１の回転軸を介して一方の筐体を回動可能に接続し、第２の回転軸を介して他方の筐体を回動可能に接続すると共に、このヒンジユニットに対して所定の装置を設けることで、筐体上における上記所定の装置の設置スペースの省略化を図る。
【発明の効果】
【００１２】
本発明は、いずれかの筐体上に設けるべき所定の装置をヒンジユニット上に設けることができるため、筐体上における上記装置（＝いずれかの筐体上に設けるべき装置）の設置スペースを省略することができる。このため、各筐体に設ける表示部や操作部等を小型化することなく、筐体の全長を大幅に短縮化することができ、筐体全体を大幅に小型化することができる。
【発明を実施するための最良の形態】
【００１３】
本発明は、折り畳み式の携帯電話機に適用することができる。
【００１４】
［携帯電話機の外観構成］
図１に、本発明を適用した実施の形態となる携帯電話機の開状態時の正面図を、図２にこの実施の形態の携帯電話機の分解斜視図をそれぞれ示す。この図１及び図２に示すように当該携帯電話機は、第１の筐体１及び第２の筐体２をヒンジユニット３を介して相互に接続した構成を有している。
【００１５】
第１の筐体１の正面側（＝折り畳んだ際に内側となる面側）には、その略々全領域分の大きさとなる表示部４（例えば、液晶表示部）、及び当該第１の筐体１の上端部１ａに近接してスピーカ部５が設けられている。
【００１６】
第２の筐体２の正面側には主操作部６、及び当該第２の筐体２の下端部２ｂに近接してマイクロホン部７が設けられている。主操作部６は、オンフックキー８、オフフックキー９、入力した文字の削除時等に使用するクリアキー１０、０〜９の数字キー１１  ＊キー１２、及び＃キー１３を有している。また、この主操作部６は、マナーモードを設定する際のショートカットキーとなっているマナーモード設定キー１４と、通話音声の録音時に使用するメモキー１５と、携帯メール機能を使用する際のショートカットキーとなっているメールキー１６と、電子カメラ機能を使用する際のショートカットキーとなっているカメラモードキー１７等を有している。
【００１７】
このような各筐体１、２は、図２に示すようにヒンジユニット３を介して相互に接続されている。このヒンジユニットの厚みＹＨは、各筐体１、２の厚みＫＨと略々同じ厚みとなっており、また、ヒンジユニット３の長手方向の長さＹＬは、第１の筐体１の下端部１ｂに設けられている凹部２１の長手方向の長さＫＬ、及び第２の筐体２の上端部２ａに設けられている凹部２２の長手方向の長さＫＬと略々同じ長さとなっている。
【００１８】
また、ヒンジユニット３の短手方向の長さＹＳは、第１の筐体１の下端部１ｂに設けられている凹部２１の短手方向の長さＫＳと、第２の筐体２の上端部２ａに設けられている凹部２２の短手方向の長さＫＳとを加算した長さと略々同じ長さとなっている（ＹＳ＝ＫＳ＋ＫＳ）。さらに、ヒンジユニット３の短手方向の長さＹＳは、第１の筐体１の厚みＫＨと、第２の筐体２の厚みＫＨとを加算した長さと略々同じ長さとなっている（ＹＳ＝ＫＨ＋ＫＨ）。
【００１９】
また、このヒンジユニット３は、当該ヒンジユニット３の長手方向に沿って形成され、かつ、両者が並行するように設けられた２つの回転軸孔３１、３２を有している。これに関連して、第１の筐体１には、右側面部１ｃから左側面部１ｄにかけて、凹部２１を介して連通するかたちで回転軸孔３３が設けられており、同様に、第２の筐体２には、右側面部２ｃから左側面部２ｄにかけて、凹部２２を介して連通するかたちで回転軸孔３４が設けられている。
【００２０】
ヒンジユニット３は、各筐体１、２の各凹部２１、２２に嵌込し、各凹部２１、２２で挟持されるかたちで設けられるのであるが、ヒンジユニット３を各凹部２１、２２に嵌込させた際、ヒンジユニット３の回転軸孔３１と、第１の筐体１に設けられた回転軸孔３３が連通し、ヒンジユニット３の回転軸孔３２と、第２の筐体２に設けられた回転軸孔３４が連通するようになっている。
【００２１】
そして、このようにヒンジユニット３を各筐体１、２の各凹部２１、２２に嵌込させ、ヒンジユニット３の各回転軸孔３１、３２を、各筐体１、２の回転軸孔３３、３４に連通させた状態で、ヒンジピン４１を、第１の筐体１の右側面部１ｃ側から回転軸孔３３及びヒンジユニット３の回転軸孔３１に挿入し、ヒンジピン４２を、第１の筐体１の左側面部１ｄ側から回転軸孔３３及びヒンジユニット３の回転軸孔３１に挿入し、ヒンジピン４３を、第２の筐体２の右側面部２ｃ側から回転軸孔３４及びヒンジユニット３の回転軸孔３２に挿入し、ヒンジピン４４を、第２の筐体２の左側面部２ｄ側から回転軸孔３４及びヒンジユニット３の回転軸孔３２に挿入する。
【００２２】
これにより、第１の筐体１は、回転軸孔３３及びヒンジユニット３の回転軸孔３１で形成される回転軸回りに回動可能とされた状態でヒンジユニット３に接続され、第２の筐体２は、回転軸孔３４及びヒンジユニット３の回転軸孔３２で形成される回転軸回りに回動可能とされた状態でヒンジユニット３に接続されることで、各筐体１、２が、ヒンジユニット３を介して回動可能に接続されることとなる。
【００２３】
次に、このヒンジユニット３には、上記各筐体１、２の各凹部２１、２２に当該ヒンジユニット３を嵌込させた際に、表示部４や主操作部６が設けられている各筐体１、２の正面側に相当する面側に、副操作部５３となる十字キーが設けられている。また、このヒンジユニット３の上記十字キーが設けられている面と反対側の面には、後に説明するカメラ部５４、カメラ用フラッシュとなるカメラ用発光部５５（高輝度ＬＥＤ）及び携帯ストラップを結び付けるためのストラップホルダ６１が設けられている（図４及び図５参照）。
【００２４】
この副操作部５３となる十字キーと、カメラ部５４及びカメラ用発光部５５とは、フレキシブル基板により第１の筐体１及び（又は）第２の筐体２内の電気回路に電気的に接続され、或いは各筐体１、２の各凹部２１、２２にヒンジユニット３を嵌込させた際に、ヒンジユニット３側に設けられた端子と、第１の筐体１及び（又は）第２の筐体２側に設けられた端子とが接触して、第１の筐体１及び（又は）第２の筐体２内の電気回路に電気的に接続されるようになっている。
【００２５】
［携帯電話機の電気構成］
図３に、この形態となる携帯電話機のブロック図を示す。この図３に示すように、当該実施の形態の携帯電話機は、携帯事業者のコミュニケーションネットワークに接続された基地局との間でデータの送受信を行うアンテナ５１及び通信回路５２と、発着信電話番号、送信元，送信先となるユーザの名前、電話や携帯メールの発着信履歴、電話帳，アドレス帳、スケジュール帳、送受信した携帯メールの文章等を表示するための表示部４と、着信音，受話音声，動画ファイルの音声，音楽データの音声等を得るためのスピーカ部５とを有している。
【００２６】
また、この携帯電話機は、上記０〜９の数字キー１１等が設けられた主操作部６と、送話音声等を集音するマイクロホン部７と、この例の場合、上記十字キーとなるヒンジユニット３に設けられた副操作部５３と、所望の被写体の静止画像及び動画像を撮像するためのカメラ部５４と、カメラ用のフラッシュとして設けられている高輝度ＬＥＤであるカメラ用発光部５５と、電話着信や携帯メールの着信等を当該携帯電話機の筐体を振動させることでユーザに知らせるためのバイブレーションユニット５６とを有している。
【００２７】
また、この携帯電話機は、上記カメラ部５４等で撮像された静止画像及び動画像の他、所望の音楽データ等が記憶される大容量の外付けメモリである外部メモリ５７が接続される外部メモリインターフェイス５８（外部メモリＩＦ）と、上記基地局との間で無線通信を行うための通信処理プログラム（コミュニケーションプログラム）、カメラ機能を実現するカメラアプリケーションプログラム、及び音楽データを再生するための音楽プレーヤアプリケーションプログラムの他、電話帳及びスケジュール帳のデータ、音楽データ、携帯メールの文書データ、及び上記カメラ部８等で撮像された静止画像及び動画像の各データ等が記憶されたメモリ５９と、このメモリ５９に記憶されている各アプリケーションプログラム等に基づいて、当該携帯電話機全体の動作を制御する制御部６０とを有している。
【００２８】
ヒンジユニット３に設けられた副操作部５３である上記十字キー、及びカメラ部５４、カメラ用発光部５５は、当該ヒンジユニット３が上述のように第１の筐体１及び（又は）第２の筐体２に接続されることで、この図３に示すように制御ライン及びデータラインを介して制御部６０に電気的に接続されるようになっており、制御部６０は、十字キーの操作に応じて表示部４に表示しているカーソルの移動表示制御等を行い、この十字キーの操作を介してユーザによりカメラ機能の起動やフラッシュの発光が指定された際に、カメラ部５４を撮像制御し、カメラ用発光部５５を発光制御するようになっている。
【００２９】
［携帯電話機の開閉動作］
図４に当該携帯電話機の開閉操作時における各筐体１、２の移動の軌跡を示す。この図４は、ヒンジユニット３を介して接続された第１の筐体１及び第２の筐体２を各筐体１、２の右側面部１ｃ、２ｃ側から見た図である。
【００３０】
この携帯電話機の場合、ヒンジユニット３にそれぞれ独立した２つの回転軸が設けられているため、各筐体１、２はそれぞれ独立して開閉操作可能となっている。すなわち、当該携帯電話機が図４に示すように開状態となっている場合に、図４中矢印で示す閉方向に各筐体１、２を移動操作すると、ヒンジユニット３の各回転軸回りに各筐体１、２が回転移動し、当該携帯電話機が、第１の筐体１に設けられた表示部４と、第２の筐体２に設けられた主操作部６とが相対向した状態で固定される閉状態となる。
【００３１】
図５（ａ）に、この閉状態時における当該携帯電話機を、ストラップホルダ６１が設けられている側から見た図を、図５（ｂ）に、この閉状態時における当該携帯電話機を、第１の筐体１の背面側（表示部４が設けられている面と反対側の面）から見た図を、図５（ｃ）に、この閉状態時における当該携帯電話機を、上記ストラップホルダ６１が設けられている側に対する反対側から見た図をそれぞれ示す。
【００３２】
上述のように、ヒンジユニット３の短手方向の長さＹＳは、第１の筐体１の厚みＫＨと、第２の筐体２の厚みＫＨとを加算した長さと略々同じ長さとなっている（ＹＳ＝ＫＨ＋ＫＨ）。このため、当該携帯電話機を閉状態とすると、図５（ａ）に示すように各筐体１、２が、ヒンジユニット３の略々中央で向かい合わせになるかたちとなる。また、ヒンジユニット３の短手方向の長さ（＝ＹＳ）が、各筐体１、２の厚み（＝ＫＨ）を合わせた厚み（＝２ＫＨ）となり、図５（ａ）及び図５（ｃ）に示すようにヒンジユニット３が、各筐体１、２の背面部側１ｅ、２ｅから突出することなく、該背面部側１ｅ、２ｅの延長線上に揃うかたちとなる。
【００３３】
このように当該携帯電話機を閉状態とすると、持ち運びは元より、カメラ機能を用いて所望の被写体を撮像するにも良好な形状となる。この携帯電話機の場合、例えば第１の筐体１の右側面部１ｃにシャッタボタンが設けられており、ユーザはカメラアプリケーションプログラムを起動し、図５（ａ）に示すカメラ部５５のレンズを被写体に向け、適宜カメラ用発光部５４を発光させて上記シャッタボタンを操作する。これにより、所望の被写体を撮像することができる。
【００３４】
次に、当該携帯電話機がこのように閉状態となっている場合に、図４中矢印で示す開方向に各筐体１、２を移動操作すると、ヒンジユニット３の各回転軸回りに各筐体１、２が回転移動し、当該携帯電話機が図１に示すように、第１の筐体１に設けられた表示部４と、第２の筐体２に設けられた主操作部６とが同一面上に揃った状態で固定される開状態となる。
【００３５】
また、上述のようにヒンジユニット３の厚みＹＨは、各筐体１、２の厚みＫＨと略々同じ厚みとなっている。このため、当該携帯電話機を開状態とすると、図１及び図４に示すようにヒンジユニット３の副操作部６が設けられている面が、上記第１の筐体１に設けられた表示部４及び第２の筐体２に設けられた主操作部６と同一面上に揃った状態で固定される。
【００３６】
なお、この開状態とされている場合においてもカメラ機能を用いることも可能であり、ユーザは、カメラアプリケーションプログラムを起動し、図５（ａ）に示すカメラ部５５のレンズを被写体に向け、適宜カメラ用発光部５４を発光させて上記シャッタボタンを操作する。これにより、開状態時においても所望の被写体を撮像することができる。
【００３７】
［実施の形態の効果］
以上の説明から明らかなように、この実施の形態の携帯電話機は、ヒンジユニット３に対して並行する２つの回転軸を設け、一方の回転軸を介して第１の筐体１を回動可能に接続し、他方の回転軸を介して第２の筐体２を回動可能に接続すると共に、このヒンジユニット３に対して副操作部５３を設けている。
【００３８】
このため、副操作部５３を設ける場合、第１の筐体１或いは第２の筐体２の、いずれかの筐体上に設けるのが一般的なのであるが、当該携帯電話機の場合、該副操作部５３をヒンジユニット３上に設けることができるため、筐体上における上記副操作部５３の設置スペースを省略することができる。このため、各筐体１、２に設ける表示部４や主操作部６等を小型化することなく、各筐体１、２の全長を大幅に短縮化することができ、これを通じて当該携帯電話機全体を大幅に小型化することができる。
【００３９】
［変形例］
上述の実施の形態の説明では、本発明を携帯電話機に適用することとしたが、本発明は、ＰＨＳ電話機（PHS：Personal Handyphone System）、ＰＤＡ装置（PDA：Personal Digital Assistant）、或いはノート型のパーソナルコンピュータ装置等に適用してもよい。
【００４０】
また、上述の実施の形態の説明では、ヒンジユニット３に副操作部５３となる十字キーが設けることとしたが、回転操作キーや、表示部４よりも画面サイズの小さい表示部、発光部（ＬＥＤ）、或いはカードリーダライタ等の他の装置を設けてもよい。
【００４１】
また、ヒンジユニット３を介して第１及び第２の筐体１、２を相互に接続することとしたが、第１の筐体１の上端部１ａ側、又は（及び）第２の筐体２の下端部２ｂ側に、上述のように２つの回転軸を備えたヒンジユニット３を設け、このヒンジユニット３に対してさらに第３の筐体を回動可能に接続してもよい。
【００４２】
また、ヒンジユニット３は、２つの回転軸を備えることとしたが、これは３つ以上の回転軸を備えるようにしてもよい。一例ではあるが、上記各回転軸の間に該各回転軸と並行する第３の回転軸を設け、この第３の回転軸に、閉状態時に第１及び第２の筐体で挟持される第３の筐体を接続してもよい。
【００４３】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００４４】
【図１】本発明を適用した実施の形態の携帯電話機の開状態時の正面図である。
【図２】実施の形態の携帯電話機の分解斜視図である。
【図３】実施の形態の携帯電話機のブロック図である。
【図４】実施の形態の携帯電話機の開閉動作を説明するための図である。
【図５】実施の形態の携帯電話機の開状態時を説明するための図である。
【符号の説明】
【００４５】
１  第１の筐体、１ａ  第１の筐体の上端部、１ｂ  第１の筐体の下端部、１ｃ  第１の筐体の右側面部、１ｄ  第１の筐体の左側面部、１ｅ  第１の筐体の背面部、２  第２の筐体、２ａ  第２の筐体の上端部、２ｂ  第２の筐体の下端部、２ｃ  第２の筐体の右側面部、２ｄ  第２の筐体の左側面部、２ｅ  第２の筐体の背面部、３  ヒンジユニット、４  表示部、５  スピーカ部、６  主操作部、７  マイクロホン部、８  オンフックキー、９  オフフックキー、１０  クリアキー、１１  数字キー、１２  ＊キー、１３  ＃キー、１４  マナーモード設定キー、１５  メモキー、１６  メールキー、１７  カメラモードキー、２１  第１の筐体の凹部、２２  第２の筐体の凹部、３１  ヒンジユニットの回転軸孔、３２  ヒンジユニットの回転軸孔  ３３  第１の筐体の回転軸孔、３４  第２の筐体の回転軸孔、４１  ヒンジピン、４２  ヒンジピン、４３  ヒンジピン、４４  ヒンジピン、５１  アンテナ、５２  通信回路、５３  副操作部、５４  カメラ部、５５  カメラ用発光部、５６  バイブレーションユニット、５７  外部メモリ、５８  外部メモリインターフェイス（外部メモリＩＦ）、５９  メモリ、６０  制御部、ストラップホルダ６１
【図１】
2006312989.tif 000003
【図２】
2006312989.tif 000004
【図３】
2006312989.tif 000005
【図４】
2006312989.tif 000006
【図５】
2006312989.tif 000007